(57)【要約】【課題】光ディスク上のＲＦ信号と光ディスクの欠陥とを誤認識することなく正確に判別し、光ディスクのデータ記録された記録始端位置と記録終端位置を正確に検出することを目的とする。【解決手段】光ディスクに記録されたＲＦ信号をＡＣ結合し、ＡＣ結合後のＲＦ信号の基準レベルに対するＲＦ信号のピークレベル検出手段とＲＦ信号のボトムレベル検出手段を設け、ＲＦ信号のボトムレベル検出手段より得られた、ＲＦ信号のボトムレベル値より、光ディスクの欠陥を判別する手段と、ＲＦ信号のピークレベルとボトムレベルより、ＲＦ信号のピークレベルとボトムレベルの対称性を算出する手段と、ＲＦ信号のピークレベルとボトムレベルの加算レベルを算出しＲＦ信号を判別する手段を設け、ＲＦ信号と光ディスクの欠陥を判別する構成。【選択図】  図１
2004326945.tif 000002
【特許請求の範囲】
【請求項１】
半導体レーザーから出射されるレーザービームを対物レンズで集光し、光ディスクにデータ記録する光ディスク装置において、光ディスクに記録されたＲＦ信号をＡＣ結合し、ＡＣ結合後のＲＦ信号の基準レベルに対するＲＦ信号のピークレベル検出手段とＲＦ信号のボトムレベル検出手段と、ＲＦ信号のピークレベル検出手段とＲＦボトムレベル検出手段より得られたＲＦ信号のピークレベルとＲＦ信号のボトムレベルにてＲＦ信号と光ディスクの欠陥を判別する手段を備えたことを特徴とする光ディスク装置。
【請求項２】
ＡＣ結合されたＲＦ信号のピークレベル検出手段より得られたＲＦ信号のピークレベル値、あるいは、ＲＦ信号のボトムレベル検出手段より得られたＲＦ信号のボトムレベル値にて、光ディスクの欠陥を判別する手段を備えたことを特徴とする請求項１記載の光ディスク装置。
【請求項３】
ＡＣ結合されたＲＦ信号のピークレベル検出手段と、ＲＦ信号ボトムレベル検出手段より得られたＲＦ信号のピークレベルとボトムレベルよりＲＦ信号のピークレベルとボトムレベルの対称性を算出する手段と、ＲＦ信号のピークレベルとボトムレベルの対称性にてＲＦ信号と光ディスクの欠陥を判別する手段を備えたことを特徴とする請求項１記載の光ディスク装置。
【請求項４】
ＡＣ結合されたＲＦ信号のピークレベル検出手段と、ボトムレベル検出手段より得られたＲＦ信号のピークレベルとボトムレベルにて、ＲＦ信号のピークレベルとボトムレベルの加算レベルを算出する手段と、ＲＦ信号のピークレベルとボトムレベルの加算レベルにて、ＲＦ信号を判別する手段を備えたことを特徴とする請求項１記載の光ディスク装置。
【請求項５】
光ディスクを回転駆動させる駆動手段と、光ディスクに光を照射することで少なくとも再生信号を生成する光再生手段と、前記再生信号からＲＦ信号を生成するＲＦ生成手段と、前記ＲＦ信号のピークを検出するピーク検出手段と、前記ＲＦ信号のボトムを検出するボトム検出手段と、前記ピーク検出手段と前記ボトム検出手段の双方と前記ＲＦ生成手段との間に設けられたＡＣ結合手段と、前記ピーク検出手段と前記ボトム検出手段によってそれぞれ作成された信号によって信号の種類を判定する判定手段とを備え、前記ＲＦ生成手段で生成されたＲＦ信号は前記ＡＣ結合手段を介して前記ピーク検出手段と前記ボトム検出手段に送られることを特徴とする光ディスク装置。
【請求項６】
判定手段により判定される信号の種類として、少なくとも実際のＲＦ信号か光ディスクの欠陥による信号であることを特徴とする請求項５記載の光ディスク装置。
【請求項７】
ピーク検出手段とボトム検出手段で検出されたピークレベルとボトムレベルとを加算して、その加算した値が、所定より大きいか否かで信号の種類を判定することを特徴とする請求項５記載の光ディスク装置。
【請求項８】
ボトム検出手段で検出されたボトムレベルが所定の値よりも大きいか否かで信号の種類を判定することを特徴とする請求項５記載の光ディスク装置。
【請求項９】
起動時などで得られた基準レベルに対して、ボトム検出手段で得られたボトムレベルの差とピーク検出手段で得られたピークレベルとの差を比較して、信号の種類を判定することを特徴とする請求項５記載の光ディスク装置。
【請求項１０】
ＡＣ結合手段としてコンデンサを用いたことを特徴とする請求項５記載の光ディスク装置。
【発明の詳細な説明】
【０００１】
【発明の属する技術分野】
本発明は光ピックアップにより光ディスクへ情報を記録あるいは、光ディスクの情報を再生する光ディスク装置に関する。
【０００２】
【従来の技術】
従来の記録可能な光ディスク装置について図面に従い説明する。
【０００３】
図５は従来の光ディスク装置を示している。図５において１はデータが記録をされる光ディスク、２はデータの記録、再生を行う光ピックアップであり、光ディスク１はスピンドルモータ３より回転駆動される。また光ピックアップ２はレーザー駆動回路４より電流が供給され、所定のパワーでレーザーを光ディスクへ出射する。光ディスク１からの反射光は光ピックアップで受け電気信号に変換され、ＲＦ再生回路５へ送られ、データ再生用のＲＦ信号６を検出している。７はＲＦ再生回路で検出されたＲＦ信号６を実際のデータへ変換するデコーダ、８は光ピックアップ２とスピンドルモータ３を駆動させるためのサーボ回路である。９は論理判断や演算を行うためのＣＰＵ、１０はＡ／Ｄ変換器である。ＣＰＵ９はＡ／Ｄ変換器１０の信号を基に、ＲＦ信号のピークレベル、ボトムレベルを検出している。ＲＦ信号は光ディスク１上の記録マークの状態によりピークレベルと、ボトムレベルが変化する。ＲＦ信号のピークレベルは、光ディスク１上のマークが無い領域の反射率に依存し、ＲＦ信号のボトムレベルは光ディスク１上の記録マークの反射率に依存する。
【０００４】
記録型光ディスクはデータの追記記録を行う場合、データの記録開始位置を検出するため、通常、光ディスクの記録された領域の終端位置を検出することで、追記録開始位置を得ている。記録された領域の終端位置の検出には、予め光ディスクの所定の領域に、光ディスクに記録されたデータの記録開始位置と、記録終了位置を記録保持し、追記録時に光ディスクの所定の領域に記録保持されている記録されたデータの記録開始位置と、記録終了位置を取得する方法と、実際の記録データに終端位置をＲＦ信号の有無にて検出し、記録終了位置を取得する方法がある。光ディスクの所定の領域に記録保持されている記録されたデータの記録開始位置と、記録終了位置を再生取得する場合においても、光ディスクの所定領域内に記録データが存在するか記録始端位置をＲＦ信号の有無にて探索し、記録されたデータの記録開始位置と、記録終了位置が記録保持されているかを検出している。
【０００５】
このような、記録型光ディスクでは記録データの記録始端位置と記録終端位置をＲＦ信号の有無にて探索しており、データ再生用のＲＦ検出手段とは別に、ＲＦ信号の有無を検出する手段を備えている。通常このＲＦ信号の有無を検出する手段は、データ再生用ＲＦ検出手段とはことなり、光ディスクの欠陥等に反応しないよう、周波数帯域の低い信号検出系となっており、Ａ／Ｄ変換器で取得された、ＲＦ信号のピークレベルとボトムレベルの引算をＣＰＵで演算し、所定のレベルと比較しＲＦ信号の有無を判定している。
【０００６】
【特許文献１】
特開平３−１７５３９号公報
【特許文献２】
特開平５−２７３１４１号公報
【０００７】
【発明が解決しようとする課題】
近年、記録型光ディスクは急激な市場拡大により価格の低下が起こっている、とともに一部の光ディスクでは品質低下も招いている。特に光ディスクの記録領域の欠陥は従来、１０μｍ程度のものが１００μｍを超えるものさえ存在している。光ディスクの欠陥は、記録マークが存在しなくても欠陥部で光ディスクの反射率が低下してしまう。１０μｍ程度の欠陥であれば、ＲＦ信号の有無を判定する検出系も光ディスクの欠陥部をＲＦ信号と誤判定することはないが、１００μｍ程度になると周波数帯域の低い信号検出系でもＲＦ信号として誤認識し、実際はＲＦ信号が存在しない欠陥領域をＲＦ信号が存在すると判定し、実際には記録されていない領域に、記録データの記録始端位置、記録終端位置、が存在すると誤検出し、正常に光ディスクのへ追記録が出来なくなる。さらに、光ディスクの高速記録・高速再生化にともない、従来は周波数帯域の低かったＲＦ信号の有無を行う検出手段も、高速化により周波数帯域が高くなっているため、数１０μｍの欠陥でもＲＦ信号として誤認識し、品質が確保できている通常の光ディスクにおいても、記録データの記録始端位置、記録終端位置を誤検出し、正常に光ディスクのへ追記録が出来なくなる問題も発生する。
【０００８】
本発明は、前記課題を解消するもので、ＲＦ信号をＡＣ結合し、ＡＣ結合後、ＲＦ信号のピークレベル検出手段と、ボトムレベル検出手段より得られた、ＲＦ信号のピークレベルとボトムレベルにてＲＦ信号と光ディスクの欠陥を判別できる光ディスク装置の提供を目的とする。
【０００９】
【課題を解決するための手段】
本発明は、前記目的を達成するために、光ディスクに記録されたＲＦ信号をＡＣ結合し、ＡＣ結合後のＲＦ信号の基準レベルに対するＲＦ信号のピークレベル検出手段とＲＦ信号のボトムレベル検出手段を設け、ＲＦ信号のボトムレベル検出手段より得られた、ＲＦ信号のボトムレベル値にて、光ディスクの欠陥を判別する手段と、ＲＦ信号のピークレベルとボトムレベルにて、ＲＦ信号のピークレベルとボトムレベルの対称性を算出する手段と、ＲＦ信号のピークレベルとボトムレベルの加算レベルを算出しＲＦ信号を判別する手段を備える構成を有するものである。
【００１０】
本発明は前記の構成によって、記録型光ディスクに追記録を行う場合、ＲＦ信号と、光ディスクの欠陥を正確に判別でき、光ディスクの欠陥をＲＦ信号として誤認識することなく、記録データの記録始端位置と記録終端位置を正確に探索することができる光ディスク装置を実現できる。
【００１１】
【発明の実施の形態】
本発明の請求項１に記載の発明は、半導体レーザーから出射されるレーザービームを対物レンズで集光し、光ディスクにデータ記録する光ディスク装置において、光ディスクに記録されたＲＦ信号をＡＣ結合し、ＡＣ結合後のＲＦ信号の基準レベルに対するＲＦ信号のピークレベル検出手段とＲＦ信号のボトムレベル検出手段と、ＲＦ信号のピークレベル検出手段と、ＲＦボトムレベル検出手段より得られた、ＲＦ信号のピークレベルとＲＦ信号のボトムレベルよりＲＦ信号と光ディスクの欠陥を判別する手段を備えたことを特徴とする光ディスク装置であり、光ディスク上の記録データの記録始端位置と記録終端位置を正確に判別できる作用を有する。
【００１２】
本発明の請求項２に記載の発明は、ＡＣ結合されたＲＦ信号のピークレベル検出手段より得られたＲＦ信号のピークレベル値、あるいは、ボトムレベル検出手段より得られた、ＲＦ信号のボトムレベル値より、光ディスクの欠陥を判別する手段を備えたことを特徴とする光ディスク装置であり、光ディスク上の記録データの記録始端位置と記録終端位置を正確に判別できる作用を有する。
【００１３】
本発明の請求項３に記載の発明は、ＡＣ結合されたＲＦ信号のピークレベル検出手段と、ＲＦ信号ボトムレベル検出手段より得られた、ＲＦ信号のピークレベルとボトムレベルより、ＲＦ信号のピークレベルとボトムレベルの対称性を算出する手段と、ＲＦ信号のピークレベルとボトムレベルの対称性より、ＲＦ信号と光ディスクの欠陥を判別する手段を備えたことを特徴とする光ディスク装置であり、光ディスク上の記録データの記録始端位置と記録終端位置を正確に判別できる作用を有する。
【００１４】
請求項４記載の発明は、ＡＣ結合されたＲＦ信号のピークレベル検出手段と、ボトムレベル検出手段より得られたＲＦ信号のピークレベルとボトムレベルにて、ＲＦ信号のピークレベルとボトムレベルの加算レベルを算出する手段と、ＲＦ信号のピークレベルとボトムレベルの加算レベルにて、ＲＦ信号を判別する手段を備えたことを特徴とする請求項１記載の光ディスク装置であり、光ディスク上の記録データの記録始端位置と記録終端位置を正確に判別できる作用を有する。
【００１５】
請求項５記載の発明は、光ディスクを回転駆動させる駆動手段と、光ディスクに光を照射することで少なくとも再生信号を生成する光再生手段と、前記再生信号からＲＦ信号を生成するＲＦ生成手段と、前記ＲＦ信号のピークを検出するピーク検出手段と、前記ＲＦ信号のボトムを検出するボトム検出手段と、前記ピーク検出手段と前記ボトム検出手段の双方と前記ＲＦ生成手段との間に設けられたＡＣ結合手段と、前記ピーク検出手段と前記ボトム検出手段によってそれぞれ作成された信号によって信号の種類を判定する判定手段とを備え、前記ＲＦ生成手段で生成されたＲＦ信号は前記ＡＣ結合手段を介して前記ピーク検出手段と前記ボトム検出手段に送られることを特徴とする光ディスク装置であり、容易に、信号の種類を判定でき、エラーなどの発生を抑えることができる。
【００１６】
請求項６記載の発明は、判定手段により判定される信号の種類として、少なくとも実際のＲＦ信号か光ディスクの欠陥による信号であることを特徴とする請求項５記載の光ディスク装置であり、光ディスク上の記録データの記録始端位置と記録終端位置を正確に判別できる作用を有する。
【００１７】
請求項７記載の発明は、ピーク検出手段とボトム検出手段で検出されたピークレベルとボトムレベルとを加算して、その加算した値が、所定より大きいか否かで信号の種類を判定することを特徴とする請求項５記載の光ディスク装置であり、容易に、信号の種類を判定でき、エラーなどの発生を抑えることができる。
【００１８】
請求項８記載の発明は、ボトム検出手段で検出されたボトムレベルが所定の値よりも大きいか否かで信号の種類を判定することを特徴とする請求項５記載の光ディスク装置であり、容易に、信号の種類を判定でき、エラーなどの発生を抑えることができる。
【００１９】
請求項９記載の発明は、起動時などで得られた基準レベルに対して、ボトム検出手段で得られたボトムレベルの差とピーク検出手段で得られたピークレベルとの差を比較して、信号の種類を判定することを特徴とする請求項５記載の光ディスク装置であり、最も正確に、信号の種類を判定でき、エラーなどの発生を抑えることができる。
【００２０】
請求項１０記載の発明は、ＡＣ結合手段としてコンデンサを用いたことを特徴とする請求項５記載の光ディスク装置であり、簡単な構成で直流成分を提言あるいは削除できる。
【００２１】
以下、本発明の実施の形態について、図面を参照しながら説明する。
【００２２】
図１は本発明の実施の形態における光ディスク装置を示している。図１において１はデータが記録をされたり、データを再生したりすることが可能な光ディスクで、光ディスク１としては、例えば、ＣＤ−Ｒ，ＣＤ−Ｒ／Ｗ，ＤＶＤ−ＲＡＭ，ＤＶＤ−Ｒ，ＤＶＤ−Ｒ／Ｗなどの記録可能なメディアが好適に用いられる。２はデータの記録か再生の少なくとも一方を行う光ピックアップであり、光ピックアップ２は、半導体レーザー等の光源や対物レンズなどの光学部品が搭載されており、図示していない搬送手段によって、光ディスク１の少なくとも内周と外周の間を往復運動可能なように設けられている。光ディスク１はスピンドルモータ３などの回転駆動手段により回転駆動される。また光ピックアップ２はレーザー駆動回路（４）より電流が供給され、所定のパワーでレーザーを光ディスクへ出射する。光ディスク１からの反射光は光ピックアップ２で受け電気信号に変換され、ＲＦ再生回路５へ送られ、データ再生用のＲＦ信号６を検出している。７はＲＦ再生回路５で検出されたＲＦ信号６を実際のデータ（コンピュータなどで使用可能なデータ信号）へ変換するデコーダ、８は光ピックアップ２とスピンドルモータ３を駆動させるためのサーボ回路である。９は論理判断や演算を行う中央演算処理装置である。１０はＡ／Ｄ変換器であり、ＲＦ再生回５より出力されるＲＦピークレベル１１とＲＦボトムレベル１２をデジタル変換している。図２は本発明の一実施の形態におけるＲＦ再生回路５の構成の一実施の形態を示している。ＲＦ再生回路５は、光ピックアップ２より出力された多チャンネルの信号を合成し、ＲＦ信号６を生成するＲＦ生成回路５ａと、ＲＦ信号６のピークレベルを検出するＲＦピーク検出回路５ｂ、ＲＦ信号６のボトムレベルを検出するＲＦボトム検出回路５ｃを少なくとも含んでおり、ＲＦ生成回路５ａとＲＦピーク検出回路５ｂ及びＲＦボトム検出回路５ｃの双方はコンデンサ５ｄにてＡＣ結合されている。すなわち、ＲＦ生成回路５ａで生成されたＲＦ信号６はコンデンサ５ｄを介することで、ＲＦ信号６中のＤＣ（直流成分）成分を減衰あるいは削除された信号が、ＲＦピーク検出回路５ｂ及びＲＦボトム検出回路５ｃの双方に入力される。なお、本実施の形態では、ＲＦ信号６のＡＣ結合において、コンデンサ５ｄを用いたが、アンプなどを使ってＲＦ信号中のＤＣ成分（直流成分）を削除あるいは減衰したＲＦピーク検出回路５ｂ及びＲＦボトム検出回路５ｃの双方に入力しても良い。また、ＲＦ生成回路５ａはデータ再生のため、コンデンサ５ｄを介さずにＲＦ信号６をデコーダ７へ送信している。さらに、ＲＦピーク検出回路５ｂ、ＲＦボトム検出回路５ｃはＲＦ信号のピークレベル１１とボトムレベル１２をＡ／Ｄ変換器１０へ送信している。
【００２３】
図３はＲＦ生成回路５ａで生成されたＲＦ信号６の実際の光ディスク１のＲＦ信号６ａと未記録状態の光ディスク１の欠陥を検出した信号６ｂを示している。実際の光ディスク１のＲＦ信号６ａ、光ディスク１の欠陥を検出した信号６ｂともにピークレベル、ボトムレベルは同じレベルであり、欠陥の大きさにより、光ディスク１の欠陥を検出した信号６ｂは周波数が変化する。図４はＲＦ生成回路５ａで生成されたＲＦ信号６をコンデンサ５ｄに通過させた（ＡＣ結合させた）、実際の光ディスク１のＲＦ信号６ｃと光ディスク１の欠陥を検出した信号６ｄを示している。コンデンサ５ｄを通過させることで、実際の光ディスクのＲＦ信号６ｃは光ディスク１上の記録マーク長と未記録部長の対称性によりピークレベルとボトムレベル関係が変化する。図４に示すように光ディスク１の欠陥を検出した信号６ｄは光ディスク１のＲＦ信号６ｃが有するＲＦピークレベルよりも低いレベルしか有していない。また、信号６ｄはのＲＦボトムレベルはＲＦ信号６ｃのボトムレベルより低いレベルとなっている。このようにＲＦ信号６をＡＣ結合させることで、実際の光ディスク１に記録されているＲＦ信号６ｃと、光ディスク１の欠陥を検出した信号６ｄのピークレベルとボトムレベルの挙動が異なってくるので実際のＲＦ信号か光ディスク１の欠陥から生じる信号かを判別できる。
【００２４】
ＲＦ信号６と光ディスク１の欠陥の判別は、ＲＦピーク検出回路５ｂよりＡ／Ｄ変換器１０へ出力されるＲＦピークレベル１１とＲＦボトム検出回路５ｃよりＡ／Ｄ変換器１０へ出力されるＲＦピークレベル１２の値をＡ／Ｄ変換器１０でデジタル信号へ変換し中央演算処理装置９）で判別処理を行う。実際のＲＦ信号と、光ディスクの欠陥との判別方法の実施の形態としては、以下のような（１）〜（３）のような判定方法がある。
【００２５】
（１）図４において、ＲＦ信号６ｃ及び欠陥から生じる信号６ｄのそれぞれＲＦピークレベルとＲＦボトムレベルを中央演算処理装置９にて加算し、所定の値よりも大きくなるか否かでＲＦ信号６ｃか欠陥から生じる信号６ｄかを判定する。例えば、図４では、ＲＦ信号６ｃのＲＦピークレベル及びＲＦボトムレベルは、欠陥から生じる信号６ｄのＲＦピークレベル及びＲＦボトムレベルよりもそれぞれ高くなっているので、それぞれのレベルを加算すると、ＲＦ信号６ｃの方が大きな値となり、欠陥から生じる信号６ｄが低い値となる。従って中央演算処理装置９内に設けられたメモリあるいは中央演算処理装置９以外のメモリに格納された基準となるレベルの加算値を参照して、中央演算処理装置９は、ＡＣ結合された信号の加算値（ボトムレベル＋ピークレベル）と、その基準となるレベルの加算値（あらかじめメモリに所定の加算値を記憶させてある）よりも大きいか小さいかで、信号がＲＦ信号６ｃなのか（基準となるレベルの加算値よりも大きい）、欠陥から生じる信号なのか（基準となるレベルの加算値よりも小さい）を判定する。
【００２６】
（２）図４に示す基準レベルを設定する。基準レベルは、例えば光ディスク装置の起動時に、何も記録されていない領域の再生信号を取得し、その再生信号をＡＣ結合させることで求めたり、あるいは光を光ディスク１に照射しないときの再生信号をＡＣ結合させることで求められ、前者後者ともＡＣ結合させることで図４に記載されている基準レベルをほぼ同じレベルで求められる。図４に示すように、ＡＣ結合され、ＤＣ成分を除去した信号において、欠陥から生じる信号６ｄのＲＦボトムレベルは基準レベルを基準とすると一般的に、ＲＦ信号６ｃよりも大きい値となっているので、中央演算処理装置９は内蔵しているメモリあるいは外部メモリに格納された基準となるボトムレベル値を参照し、ＡＣ結合された信号のボトムレベルを比較し、基準となるボトムレベル値よりも大きいか小さいかを判定し、小さい場合には、ＲＦ信号６ｃであると判定し、大きい場合には欠陥から生じる信号６ｄと判定する（基準レベルを基準とする）。なお、本実施の形態では、上述のｙ通り設定された基準レベルを基準としたが、この基準は、信号の出力の大きさなど他の要素を基準としても良い。
【００２７】
（３）図４に示す基準レベルを設定する。基準レベルは、例えば光ディスク装置の起動時に、何も記録されていない領域の再生信号を取得し、その再生信号をＡＣ結合させることで求めたり、あるいは光を光ディスク１に照射しないときの再生信号をＡＣ結合させることで求められ、前者後者ともＡＣ結合させることで図４に記載されている基準レベルをほぼ同じレベルで求められる。中央演算処理装置９は、この様に光ディスク装置の起動時などに求められた基準レベルをメモリなどに格納し、その基準レベルに対して、記録された領域を読み出した信号をＡＣ結合させた後の信号のボトムレベル及びピークレベルを測定し、記憶された基準レベルに対してボトムレベルまでの出力差と、基準レベルに対してピークレベルまでの出力差を算出する。この算出した出力差があらかじめメモリなどに格納された出力差と比較して、所定以下であるかどうかで、ＲＦ信号６ｃか欠陥による信号６ｄかを判定する。例えば、図４に示すようにＲＦ信号６ｃは基準レベルに対して対称的な波形となることから、ボトムレベルまでの出力差とピークレベルまでの出力差はほぼ同じとなる。また、欠陥によって生じる信号６ｄは、基準レベルからボトムレベルまでの出力差は非常に大きく、ピークレベルまでの出力差は非常に小さいので、対象性が悪く、双方の出力差は非常に大きな開きがある。
【００２８】
以上の（１）〜（３）に示す判定方法の少なくとも一つを用いることで、実際のＲＦ信号６ｃと、光ディスク１の欠陥の信号６ｄとを正確に判別することが可能となり、光ディスク１上の記録データの記録始端位置と記録終端位置を正確に判別できる。なお、複数の判定方法を用いる場合には、中央演算処理装置９は、多数決方式で判定したり、読み出し速度や、媒体の種類などによって、任意の判定方法を選択して判定することもできる。
【００２９】
【発明の効果】
以上のように本発明の光ディスク装置は、光ディスクに記録されたＲＦ信号をＡＣ結合し、ＡＣ結合後のＲＦ信号の基準レベルに対するＲＦ信号のピークレベル検出手段とＲＦ信号のボトムレベル検出手段を設け、ＲＦピークレベル検出手段より得られたＲＦ信号のピークレベル値、あるいはＲＦ信号のボトムレベル検出手段より得られた、ＲＦ信号のボトムレベル値より、光ディスクの欠陥を判別する手段と、ＲＦ信号のピークレベルとボトムレベルより、ＲＦ信号のピークレベルとボトムレベルの対称性を算出する手段と、ＲＦ信号のピークレベルとボトムレベルの加算レベルを算出する手段を設けたことで、実際のＲＦ信号と光ディスクの欠陥とを正確に判別することが可能となり、光ディスク上の記録データの記録始端位置と記録終端位置を正確に判別できる。
【図面の簡単な説明】
【図１】本発明の実施の形態における光ディスク装置を示した図
【図２】本発明の実施の形態における光ディスク装置のＲＦ検出回路を示した図
【図３】本発明の実施の形態におけるＲＦ検出回路での、実際のＲＦ信号と光ディスクの欠陥信号のＲＦ生成回路出力を示した図
【図４】本発明の実施の形態におけるＲＦ検出回路での、実際のＲＦ信号と光ディスクの欠陥信号のＲＦ生成回路出力をＡＣ結合した信号を示した図
【図５】従来例における光ディスク装置を示した図
【符号の説明】
１  光ディスク
２  光ピックアップ
３  スピンドルモータ
４  レーザー駆動回路
５  ＲＦ再生回路
５ａ  ＲＦ生成回路
５ｂ  ＲＦピーク検出回路
５ｃ  ＲＦボトム検出回路
５ｄ  コンデンサ
６  ＲＦ信号
６ａ  実際の光ディスクのＲＦ信号
６ｂ  光ディスクの欠陥を検出した信号
６ｃ  実際の光ディスクのＲＦ信号
６ｄ  光ディスクの欠陥を検出した信号
７  デコーダ
８  サーボ回路
９  ＣＰＵ（中央処理装置）
１０  Ａ／Ｄ変換器
１１  ＲＦピークレベル
１２  ＲＦボトムレベル
【図１】
2004326945.tif 000003
【図２】
2004326945.tif 000004
【図３】
2004326945.tif 000005
【図４】
2004326945.tif 000006
【図５】
2004326945.tif 000007